(57)【要約】【課題】煩雑な操作を行なうことなく、原稿を精度よく識別できる原稿読取装置を提供する。【解決手段】原稿を読取る原稿読取部（３）と原稿読取部（３）により取得した原稿読取情報に基づきプレビュー画像を生成する画像生成部（４）とプレビュー画像を表示可能な表示部（２）とを備えた原稿読取装置（１）において、原稿読取部（３）は一度の読取動作で複数の原稿を読取る機能を備え、それぞれの原稿に対して、原稿押え板を開放した状態で原稿を読取った第１原稿読取情報と、原稿押え板を閉じた状態で原稿を読取った第２原稿読取情報とを取得し、画像生成部（４）は第１原稿読取情報と第２原稿読取情報とに基づき、それぞれの原稿に対応するプレビュー画像を生成することを特徴とする。【選択図】図１
2019106646.tif 000002
【特許請求の範囲】
【請求項１】
原稿を読取る原稿読取部と、前記原稿読取部により取得した原稿読取情報に基づきプレビュー画像を生成する画像生成部と、前記プレビュー画像を表示可能な表示部と、を備えた原稿読取装置において、
前記原稿読取部は、
一度の読取動作で複数の原稿を読取る機能を備え、
それぞれの原稿に対して、原稿押え部材を開放した状態で前記原稿を読取った第１原稿読取情報と、前記原稿押え部材を閉じた状態で前記原稿を読取った第２原稿読取情報と、
を取得し、
前記画像生成部は、
前記第１原稿読取情報と前記第２原稿読取情報とに基づき、それぞれの原稿に対応するプレビュー画像を生成することを特徴とする原稿読取装置。
【請求項２】
それぞれの原稿毎に第１原稿読取情報と第２原稿読取情報とを関連付けて、前記第１原稿読取情報または前記第２原稿読取情報に基づくプレビュー画像を、選択的に前記表示部に表示可能とすることを特徴とする請求項１に記載の原稿読取装置。
【請求項３】
前記第１原稿読取情報または前記第２原稿読取情報に基づくプレビュー画像を、選択的に前記表示部に表示する表示情報切換えスイッチを備えることを特徴とする請求項１または２に記載の原稿読取装置。
【請求項４】
前記原稿のセット位置情報に基づき、原稿毎に前記第１原稿読取情報と前記第２原稿読取情報とを関連付けることを特徴とする請求項２または３に記載の原稿読取装置。
【請求項５】
前記原稿のサイズが異なる場合は、原稿サイズに応じて、原稿毎に前記第１原稿読取情報と前記第２原稿読取情報とを関連付けることを特徴とする請求項２または３に記載の原稿読取装置。
【請求項６】
前記原稿が定型サイズの場合は、前記原稿のサイズ情報に応じて、原稿毎に前記第１原稿読取情報と前記第２原稿読取情報とを関連付けることを特徴とする請求項２または３に記載の原稿読取装置。
【請求項７】
前記原稿の色情報に応じて、原稿毎に前記第１原稿読取情報と前記第２原稿読取情報とを関連付けることを特徴とする請求項２または３に記載の原稿読取装置。
【請求項８】
前記原稿の読取情報量に応じて、原稿毎に前記第１原稿読取情報と前記第２原稿読取情報とを関連付けることを特徴とする請求項２または３に記載の原稿読取装置。
【請求項９】
前記原稿が読取不能の場合は、前記原稿が読取不能なことを報知する報知処理が行なわれることを特徴とする請求項１から８のうち何れか一項に記載の原稿読取装置。
【請求項１０】
前記報知処理は、前記原稿が読取不能なことを前記表示部に表示することを特徴とする請求項９に記載の原稿読取装置。
【請求項１１】
前記報知処理は、前記原稿が読取不能なことを音声出力手段により報知することを特徴とする請求項９に記載の原稿読取装置。
【発明の詳細な説明】
【技術分野】
【０００１】
本発明は、原稿読取装置に係り、特に、読取った原稿のプレビュー画像を表示できる原稿読取装置に関する。
【背景技術】
【０００２】
従来技術として、原稿読取装置において、読取った原稿のプレビュー画像を表示部に表示して、原稿内容の確認を行なうことができるものが知られている。
【０００３】
近年、原稿読取装置において、原稿台に複数の原稿をセットした場合、原稿台の上に置かれた複数の原稿の位置と大きさを自動的に検出し、各原稿の切り出しを行うという、いわゆるマルチクロップ技術が知られている。
【０００４】
しかしながら、複数の原稿を読取る場合に、原稿台カバー（白）と原稿領域の濃度差を利用して原稿領域の自動切り出しを行っているため、白い原稿の場合は自動切り出しがうまくいかないことがあるという問題があった。
【０００５】
そこで、上記問題を解決するために、従来技術として、例えば、黒シートにより原稿台を覆って原稿を読取るとこで、白い原稿を識別し易くするようにしたものが開示されている（特許文献１を参照）。
【先行技術文献】
【特許文献】
【０００６】
【特許文献１】特開２００３−３３８９２０号公報
【発明の概要】
【発明が解決しようとする課題】
【０００７】
しかしながら、特許文献１にて提案されている技術では、原稿読取装置において、原稿台に黒っぽい原稿がセットされた場合は、原稿を識別できないという問題が生じる。また、マルチクロップを機能させるときに黒シートを準備する必要があるため、原稿読取操作が煩雑になるという問題があった。
【０００８】
本発明は、上記従来の課題に鑑みてなされたものであり、煩雑な操作を行なうことなく、原稿を精度よく識別できる原稿読取装置を提供することを目的とする。
【課題を解決するための手段】
【０００９】
本発明は、原稿を読取る原稿読取部と、前記原稿読取部により取得した原稿読取情報に基づきプレビュー画像を生成する画像生成部と、前記プレビュー画像を表示可能な表示部と、を備えた原稿読取装置において、前記原稿読取部の構成として、一度の読取動作で複数の原稿を読取る機能（マルチクロップ機能）を備え、それぞれの原稿に対して、原稿押え部材を開放した状態で前記原稿を読取った第１原稿読取情報と、前記原稿押え部材を閉じた状態で前記原稿を読取った第２原稿読取情報と、を取得し、前記画像生成部により、前記第１原稿読取情報と前記第２原稿読取情報とに基づき、それぞれの原稿に対応するプレビュー画像を生成することを特徴とするものである。
【発明の効果】
【００１０】
本発明の原稿読取装置によれば、原稿を読取る原稿読取部と、前記原稿読取部により取得した原稿読取情報に基づきプレビュー画像を生成する画像生成部と、前記プレビュー画像を表示可能な表示部と、を備えた原稿読取装置において、前記原稿読取部の構成として、一度の読取動作で複数の原稿を読取る機能（マルチクロップ機能）を備え、それぞれの原稿に対して、原稿押え部材を開放した状態で前記原稿を読取った第１原稿読取情報と、前記原稿押え部材を閉じた状態で前記原稿を読取った第２原稿読取情報と、を取得し、前記画像生成部により、前記第１原稿読取情報と前記第２原稿読取情報とに基づき、それぞれの原稿に対応するプレビュー画像を生成することで、両方の原稿読取結果に基づくプレビュー画像を比較することで、白っぽい原稿と黒っぽい原稿とを同時に読取る場合でも、それぞれの原稿を精度よく識別することができる。
【図面の簡単な説明】
【００１１】
【図１】第１実施形態に係る原稿読取装置の構成を示すブロック図である。
【図２】前記原稿読取装置における原稿台に複数の原稿を配置した状態を示す説明図である。
【図３】（ａ）は前記原稿読取装置における原稿押え板を開放した状態で原稿をスキャンしたスキャン画像を示す説明図、（ｂ）は識別可能なスキャン画像を示す説明図である。
【図４】（ａ）は前記原稿読取装置における原稿押え板を閉じた状態でスキャンしたスキャン画像を示す説明図、（ｂ）は識別可能なスキャン画像を示す説明図である。
【図５】前記原稿読取装置による複数の原稿を読取る処理の一例を示すフローチャートである。
【図６】図５に続くフローチャートである。
【図７】前記原稿読取装置において原稿押え板を開放した状態での原稿読取り結果を表示する表示画面の一例を示す説明図である。
【図８】前記表示画面を切換えた状態を示す説明図である。
【図９】前記原稿読取装置において原稿押え板を閉じた状態での原稿読取り結果を表示する表示画面の一例を示す説明図である。
【図１０】前記表示画面を切換えた状態を示す説明図である。
【図１１】（ａ）は前記原稿読取装置において原稿押え板を開放した状態でスキャンしたとき（１回目）の原稿Ａ，Ｂ，Ｃの位置を示す説明図、（ｂ）は前記原稿Ａ，Ｂ，Ｃの重心位置を示す説明図である。
【図１２】（ａ）は前記原稿読取装置において原稿押え板を閉じた状態でスキャンしたとき（２回目）の原稿Ａ，Ｂ，Ｃの位置を示す説明図、（ｂ）は前記原稿Ａ，Ｂ，Ｃの重心位置を示す説明図である。
【図１３】前記原稿読取装置においてスキャンした１回目と２回目の原稿Ａ，Ｂ，Ｃの重心位置を紐付けした状態を示す説明図である。
【図１４】は第２実施形態に係る原稿読取装置における原稿台に複数の原稿を配置した状態を示す説明図である。
【図１５】前記原稿読取装置における原稿読取り結果を表示する表示画面の一例を示す説明図である。
【図１６】第３実施形態に係る原稿読取装置における原稿台に複数の原稿を配置した状態を示す説明図である。
【図１７】前記原稿読取装置における原稿読取り結果を表示する表示画面の一例を示す説明図である。
【図１８】第４実施形態に係る原稿読取装置の構成を示すブロック図である。
【発明を実施するための形態】
【００１２】
（第１実施形態）
以下、本発明の第１実施形態について図面を参照して説明する。
図１は発明を実施する形態の一例であって、本発明の第１実施形態に係る原稿読取装置の構成を示すブロック図、図２は前記原稿読取装置における原稿台に複数の原稿を配置した状態を示す説明図、図３（ａ）は前記原稿読取装置における原稿押え板を開放した状態で原稿をスキャンしたスキャン画像を示す説明図、（ｂ）は識別可能なスキャン画像を示す説明図、図４（ａ）は前記原稿読取装置における原稿押え板を閉じた状態でスキャンしたスキャン画像を示す説明図、（ｂ）は識別可能なスキャン画像を示す説明図である。
【００１３】
（全体構成）
第１実施形態に係る原稿読取装置１は、図１に示すように、主に、表示部２、原稿読取部３、画像生成部４、画像切換部５、報知部６、記憶部８、制御部９を備えて構成されている。
【００１４】
表示部２には、読込まれた原稿の読込み状態を示すプレビュー画像が表示される。
原稿読取部３は、一度の読取動作で複数の原稿を読取る機能（マルチクロップ機能）を備え、それぞれの原稿に対して、原稿押え板（原稿押え部材）を開放した状態で複数の原稿を読取った第１原稿読取情報と、原稿押え板を閉じた状態で複数の原稿を読取った第２原稿読取情報と、を取得することを特徴としている。
【００１５】
画像生成部４は、原稿読取部３により読取られた第１原稿読取情報と第２原稿読取情報と、に基づき、それぞれの原稿に対応する（画像を特定する）プレビュー画像を生成する第１プレビュー画像生成部４１と第２プレビュー画像生成部４２とを備えることを特徴としている。
【００１６】
記憶部８は、原稿読取部３により読取られた第１原稿読取情報と第２原稿読取情報と、を記憶する第１原稿読取情報記憶領域８１と第２原稿読取情報記憶領域８２と、を備えている。
【００１７】
報知部６は、原稿が読取不能の場合は、原稿が読取不能なことメッセージ等により表示部２に表示する。
【００１８】
制御部９は、原稿読取る指示に応じた原稿読取装置１の各部の動作制御を行なう。
【００１９】
（原稿読取装置による原稿の読取り）
次に、原稿読取装置１による原稿の読み取り状態について図面を参照して説明する。
第１実施形態では、図２に示すように、原稿読取装置１における原稿台１０１には、同じ様な形状を呈する原稿Ａ，原稿Ｂ，原稿Ｃが配置される。原稿Ａは白っぽい原稿用紙、原稿Ｂはクレーの原稿用紙、原稿Ｃは黒っぽい原稿用紙で構成されている。
【００２０】
まず、原稿押え板を開放した状態で原稿を読込む場合は、図３（ａ）に示すように、走査光が反射されないため、スキャン画像の背景１１１は黒くなる。
この状態でそれぞれの原稿Ａ，Ｂ，Ｃを読込むと、原稿Ａのスキャン画像Ａ０１は、原稿が白いため背景１１１の黒色と明確に識別できる。原稿Ｂのスキャン画像Ｂ０１は原稿がグレー色のため背景１１１の黒色と識別可能となる。原稿Ｃのスキャン画像Ｃ０１は黒っぽい色のため背景１１１の黒色と識別がつき難くなる。
【００２１】
その結果、原稿押え板を開放した状態で原稿を読込む場合は、図３（ｂ）に示すように原稿Ａと原稿Ｂのスキャン画像Ａ０１，Ｂ０１が背景１１１と識別可能となる。
【００２２】
一方、原稿押え板を閉じた状態で原稿を読込む場合は、図４（ａ）に示すように、通常原稿押え板は白地で構成されているため、スキャン画像の背景１１２は白くなる。
この状態でそれぞれの原稿Ａ，Ｂ，Ｃを読込むと、原稿Ａのスキャン画像Ａ０２は、画像が白いため背景１１２の白色と識別がつき難くなる。原稿Ｂのスキャン画像Ｂ０２は、画像がグレー色のため背景１１２の白色と識別可能となる。原稿Ｃのスキャン画像Ｃ０２は、原稿が黒っぽい色のため背景１１２の白色と明確に識別できる。
【００２３】
その結果、原稿押え板を閉じた状態で原稿を読込む場合は、図４（ｂ）に示すように、原稿Ｂと原稿Ｃのスキャン画像Ｂ０２，Ｃ０２が背景１１２と識別可能となる。
【００２４】
上述したように、原稿押え板を開放した状態で原稿を読取ることでスキャン画像Ａ０１，Ｂ０１を識別し易くなり、原稿押え板を閉じて原稿を読取ることでスキャン画像Ｂ０２，Ｃ０２を識別し易くなる。このように、白っぽい原稿と黒っぽい原稿とを同時に読取る場合でも、上述した何れかの原稿読取結果を用いることで、それぞれの原稿を精度よく識別することができる。
【００２５】
（原稿読取りの処理工程）
次に、第１実施形態の原稿読取装置１による複数の原稿を読取り識別を行なう処理についてフローチャートに沿って説明する。
【００２６】
図５は第１実施形態の原稿読取装置による複数の原稿を読取る処理の一例を示すフローチャート、図６は図５に続くフローチャートである。
【００２７】
原稿読取装置１により原稿を読取る場合は、図５に示すように、原稿押えて部材を開放して（ステップＳ１０２）、原稿台の上に１または複数の原稿を配置する（ステップＳ１０４）。
【００２８】
そして、原稿押え板を開放したままの状態で原稿の読取りを行ない（ステップＳ１０６）、そのスキャン画像から原稿毎にスキャン画像（原稿読取情報）を切り出して（ステップＳ１０８）、取り出したスキャン画像からプレビュー画像を生成してプレビュー表示を行なう(ステップＳ１１０）。
【００２９】
そして、全ての原稿が正しく切り出されているか否かが判定される（ステップＳ１１２）。全ての原稿が正しく切り出されていると判断された場合は、図６に示すように、データを出力して（ステップＳ１２６）、原稿読取処理を終了する。
【００３０】
一方、ステップＳ１１２において、全ての原稿が正しく切り出されていないと判断された場合は、図６に示すように、原稿押え板を閉じた状態にして(ステップＳ１１４）、再度原稿の読取りを行なう（ステップＳ１１６）。そして、そのスキャン画像から原稿毎にスキャン画像（原稿読取情報）を切り出して（ステップＳ１１８）、取り出したスキャン画像からプレビュー画像を生成してプレビュー表示を行なう(ステップＳ１２０）。
【００３１】
そして、全ての原稿が正しく切り出されているか否かが判定される（ステップＳ１２２）。全ての原稿が正しく切り出されていると判断された場合は、データを出力して（ステップＳ１２６）、原稿読取処理を終了する。
【００３２】
一方、ステップＳ１２６において、全ての原稿が正しく切り出されていないと判断された場合は、原稿が全てスキャンされていない旨のメッセージを表示部に表示して(ステップＳ１２４）、原稿読取処理を終了する。
【００３３】
（プレビュー画像の表示）
次に、原稿読取装置１において、複数の原稿（原稿Ａ，Ｂ，Ｃ）をマルチクロップ機能で読込む場合について説明する。
【００３４】
図７は第１実施形態の原稿読取装置において原稿押え板を開放した状態での原稿読取り結果を表示する表示画面の一例を示す説明図、図８は前記表示画面を切換えた状態を示す説明図、図９は前記原稿読取装置において原稿押え板を閉じた状態での原稿読取り結果を表示する表示画面の一例を示す説明図、図１０は前記表示画面を切換えた状態を示す説明図である。
【００３５】
原稿読取装置１によりマルチクロップ機能により複数の原稿を読取る場合は、まず、原稿台に原稿を配置して原稿押え板を開放した状態で行なう。原稿の読取りが行なわれると、図７に示すように、表示部２には、１回目に読取られた原稿の第１プレビュー画像が表示される表示画面１２１が表示される。なお、プレビュー画像は、スキャン画像に相当するものであってもよい。
【００３６】
表示画面１２１には、１回目に読取られた原稿Ａ，Ｂ，Ｃに対応する第１プレビュー画像Ａ１１，Ｂ１１，Ｃ１１がそれぞれ表示される。また、スキャン状態を確認する、例えば、「全ての原稿が正しくスキャンされていますか？」というメッセージ６１が表示される。また、スキャン状態を確認する選択ボタン７１，７２が表示される。
【００３７】
ここで、全ての原稿が正しくスキャンされていない場合は、選択ボタン７２をタッチ操作することで、表示画面１２１が、図８に示すように、表示画面１２２に切り換って次の処理に移行する。
【００３８】
表示画面１２２には、１回目に読取られた原稿Ａ，Ｂ，Ｃに対応する第１プレビュー画像Ａ１１，Ｂ１１，Ｃ１１がそれぞれ表示されるとともに、スキャン操作を促す、例えば、「再度スキャンしますので、原稿押え板を閉じてスキャンボタンを押して下さい」というメッセージ６２が表示される。また、スキャンを開始するスキャンボタン７３が表示される。
【００３９】
次に、原稿読取装置１の原稿押え板を開放した状態で原稿の読取りを行なう。
原稿の読取りが行なわれると、図９に示すように、表示部２には、２回目に読取られた原稿のプレビュー画像が表示される表示画面１２３が表示される。
【００４０】
表示画面１２３には、２回目に読取られた原稿Ａ，Ｂ，Ｃに対応する第２プレビュー画像Ａ１２，Ｂ１２，Ｃ１２がそれぞれ表示される。また、スキャン状態を確認する、例えば、「全ての原稿が正しくスキャンされていますか？」というメッセージ６１が表示される。また、スキャン状態を確認する選択ボタン７１，７２が表示される。加えて、原稿Ａ，Ｂ，Ｃ毎に前回のプレビュー画像を切換えて表示する切換えボタン５１，５２，５３が表示される。
【００４１】
ここで、全ての原稿が正しくスキャンされていない場合は、選択ボタン７２をタッチ操作することで、表示画面１２３が、図１０に示すように、表示画面１２４に切り換わる。
【００４２】
表示画面１２４には、２回目に読取られた原稿Ａ，Ｂ，Ｃに対応する第２プレビュー画像Ａ１２，Ｂ１２，Ｃ１２がそれぞれ表示されるとともに、ユーザにスキャン操作を説明する、例えば、「マルチクロップでは認識できない原稿が含まれているので、原稿サイズを指定して１枚ずつスキャンして下さい」というメッセージ６３が表示される。
【００４３】
このようにして、マルチクロップ機能による２回の原稿読取りでも原稿が読取れないときには、他の原稿読取り方法を推奨することで、複数の原稿の読取りを確実に行うことができる。
【００４４】
（読取り原稿とプレビュー画像の関連付けについて）
次に、原稿読取装置１における読取る原稿と原稿に対応するプレビュー画像との関連付けについて説明する。
【００４５】
図１１（ａ）は第１実施形態の原稿読取装置において原稿押え板を開放した状態でスキャンしたとき（１回目）の原稿Ａ，Ｂ，Ｃの位置を示す説明図、（ｂ）は前記原稿Ａ，Ｂ，Ｃの重心位置を示す説明図、図１２（ａ）は前記原稿読取装置において原稿押え板を閉じた状態でスキャンしたとき（２回目）の原稿Ａ，Ｂ，Ｃの位置を示す説明図、（ｂ）は前記原稿Ａ，Ｂ，Ｃの重心位置を示す説明図、図１３は前記原稿読取装置においてスキャンした１回目と２回目の原稿Ａ，Ｂ，Ｃの重心位置を紐付けした状態を示す説明図である。
【００４６】
第１実施形態の原稿読取装置１は、特徴的な構成として、複数の原稿と原稿毎に対応するプレビュー画像との関連付けは、原稿押え板を閉じた状態で原稿を読取った第１原稿読取情報と原稿押え板を開放した状態で原稿を読取った第２原稿読取情報とを原稿毎に関連付けて、第１原稿読取情報と第２原稿読取情報に基づき原稿に対応するプレビュー画像を特定するようにしている。
【００４７】
ここで、原稿押え板を閉じた状態での原稿の読取りを「１回目」の原稿読取りとし、原稿押え板を開放した状態での原稿の読取りを「２回目」の原稿読取りとする。
【００４８】
第１実施形態では、原稿のセット位置情報に基づき、原稿毎に第１原稿読取情報と第２原稿読取情報とを関連付けることを特徴としている。原稿のセット位置情報は、原稿の重心位置とする。
【００４９】
図１１（ａ）に示すように、原稿Ａ，Ｂ，Ｃを原稿台１０１に配置した１回目の原稿読取りでは、原稿Ａ，Ｂ，Ｃの重心位置は、図１１（ｂ）に示すように、重心位置ＡＧ０１，ＢＧ０１，ＣＧ０１となる。
【００５０】
図１２（ａ）に示すように、原稿Ａ，Ｂ，Ｃを原稿台１０１に配置した２回目の原稿読取りでは、原稿Ａ，Ｂ，Ｃの重心位置は、図１２（ｂ）に示すように、重心位置ＡＧ０２，ＢＧ０２，ＣＧ０２となる。
【００５１】
第１実施形態では、図１３に示すように、原稿Ａ，Ｂ，Ｃの１回目と２回目の重心位置を比較して、最も距離が近い原稿同士を同じ原稿として紐付けするようにされている。これにより、１回目と２回目の原稿読取りにおける原稿毎の第１原稿読取画像と第２原稿読取画像とを紐付けすることができ、原稿毎に第１原稿読取画像と第２原稿読取画像と対応したプレビュー画像を特定することができる。
【００５２】
以上のように構成したので、第１実施形態によれば、原稿読取装置１において、原稿読取部３として、一度の読取動作で複数の原稿を読取る機能を備え、それぞれの原稿に対して、原稿押え板を開放した状態で原稿を読取った第１原稿読取情報と、原稿押え板を閉じた状態で原稿を読取った第２原稿読取情報と、を取得するものとし、画像生成部４として、第１プレビュー画像生成部４１と第２プレビュー画像生成部４２を備え、第１原稿読取情報と第２原稿読取情報とに基づき、第１プレビュー画像と第２プレビュー画像を生成し、それぞれの原稿に対応して画像を特定するプレビュー画像を生成するようにしたので、
両方の原稿読取結果に基づくプレビュー画像を比較することで、白っぽい原稿と黒っぽい原稿とを同時に読取る場合でも、それぞれの原稿を精度よく識別することができる。
【００５３】
また、第１実施形態では、報知部６を備えることで、原稿読取部３において原稿が読取不能の場合に、原稿が読取不能なことメッセージにより表示部２に表示するようにしたので、ユーザは原稿の読取り状況を容易に確認することができる。
【００５４】
また、第１実施形態では、表示画面１２３に、原稿Ａ，Ｂ，Ｃ毎に前回のプレビュー画像を切換えて表示する切換えボタン５１，５２，５３を設けたことで、原稿Ａ，Ｂ，Ｃ毎にプレビュー画像を切換えて表示することで原稿読取り状態を容易に確認することができる。
【００５５】
（第２実施形態）
次に、第２実施形態について図面を参照して説明する。
なお、説明の便宜上、第１実施形態と同一の機能を有する構成には、同一の番号を付して説明を省略する。
【００５６】
図１４は第２実施形態に係る原稿読取装置における原稿台に複数の原稿を配置した状態を示す説明図、図１５は前記原稿読取装置における原稿読取り結果を表示する表示画面の一例を示す説明図である。
【００５７】
第２実施形態の原稿読取装置２０１は、図１４に示すように、原稿台２１１に読取る原稿のサイズが異なる場合に、原稿サイズに応じて、原稿毎に第１原稿読取情報と第２原稿読取情報とを関連付けることを特徴としている。
【００５８】
原稿サイズは大きい方から優先して、原稿Ａ２、原稿Ｂ２、原稿Ｃ２として、読取る原稿に対応してプレビュー画像を特定するようにされている。
【００５９】
原稿読取装置２０１による原稿の読取りが行なわれると、図１５に示すように、表示部２には、１回目に読取られた原稿の第１プレビュー画像が表示される表示画面２２１が表示される。表示画面２２１には、１回目に読取られた原稿Ａ２，Ｂ２，Ｃ２に対応する第１プレビュー画像Ａ２１，Ｂ２１，Ｃ２１がそれぞれ表示される。
【００６０】
以上のように構成したので、第２実施形態によれば、原稿読取装置２０１において、読取る原稿のサイズが異なる場合に、原稿サイズに応じて、原稿毎に第１原稿読取情報と第２原稿読取情報とを関連付けることで、原稿毎に第１原稿読取画像と第２原稿読取画像と対応したプレビュー画像を特定することができる。
【００６１】
（第３実施形態）
次に、第３実施形態について図面を参照して説明する。
なお、説明の便宜上、第１実施形態と同一の機能を有する構成には、同一の番号を付して説明を省略する。
【００６２】
図１６は第３実施形態に係る原稿読取装置における原稿台に複数の原稿を配置した状態を示す説明図、図１７は前記原稿読取装置における原稿読取り結果を表示する表示画面の一例を示す説明図である。
【００６３】
第３実施形態の原稿読取装置３０１は、図１６に示すように、原稿台３１１に読取る原稿が定型サイズの場合に、原稿のサイズ情報に応じて、原稿毎に第１原稿読取情報と第２原稿読取情報とを関連付けることを特徴としている。
【００６４】
隣接配置された原稿が同じ定型サイズであった場合は、原稿の第１原稿読取情報と第２原稿読取情報とが隣接するものを関連付けるようにしてもよい。原稿は、定型サイズが大きい方から、原稿Ａ３、原稿Ｂ３、原稿Ｃ３として、読取る原稿に対応してプレビュー画像を特定するようにされている。
【００６５】
原稿読取装置３０１による原稿の読取りが行なわれると、図１７に示すように、表示部２には、１回目に読取られた原稿の第１プレビュー画像が表示される表示画面３２１が表示される。表示画面３２１には、１回目に読取られた原稿Ａ３，Ｂ３，Ｃ３に対応する第１プレビュー画像Ａ３１，Ｂ３１，Ｃ３１がそれぞれ表示される。
【００６６】
以上のように構成したので、第３実施形態によれば、原稿読取装置３０１において、読取る原稿が定型サイズの場合に、原稿のサイズ情報に応じて、原稿毎に第１原稿読取情報と第２原稿読取情報とを関連付けることで、原稿毎に第１原稿読取画像と第２原稿読取画像と対応したプレビュー画像を特定することができる。
【００６７】
（第４実施形態）
次に、第４実施形態について図面を参照して説明する。
なお、説明の便宜上、第１実施形態と同一の機能を有する構成には、同一の番号を付して説明を省略する。
図１８は第４実施形態に係る原稿読取装置の構成を示すブロック図である。
【００６８】
第４実施形態に係る原稿読取装置４０１は、第１実施形態の原稿読取装置１と同様の構成を備えるものであって、図１８に示すように、主な構成である表示部２、原稿読取部３、画像生成部４、画像切換部５、記憶部８、制御部９に加えて、報知手段として音声出力部（音声出力手段）４０６を備えることを特徴としている。
音声出力部４０６は、読取不能な原稿があった場合に音声で報知する。
【００６９】
このように構成したので、第４実施形態によれば、原稿読取装置４０１の構成に報知手段として音声出力部４０６を備えることで、読取る原稿の中に読取不能な原稿があった場合に、ユーザは表示画面を確認しなくとも、音声により知ることができる。
【００７０】
なお、上述した実施形態では、原稿読取装置により読取られる原稿毎に第１原稿読取情報と第２原稿読取情報との関連付けを、原稿のセット位置情報や原稿のサイズにより行なうようにしているが、原稿の読取情報の情報量、読取情報の種類（画像情報、文字情報など）、原稿の色情報、原稿の材質等に基づいて関連付けるようにしてもよい。
【００７１】
以上のように、本発明は、上述した実施形態に限定されるものではなく、請求項に示した範囲で種々の変更が可能である。当業者であれば、特許請求の範囲に記載された範疇内において、各種の変更例または修正例に想到し得ることは明らかであり、すなわち、本発明の要旨を逸脱しない範囲内において適宜変更した技術的手段を組み合わせて得られる実施形態についても本発明の技術的範囲に含まれる。
【符号の説明】
【００７２】
１，２０１，３０１，４０１  原稿読取装置
２  表示部
３  原稿読取部
４  画像生成部
５  画像切換部
６  報知部
８  記憶部
９  制御部
４１  第１プレビュー画像生成部
４２  第２プレビュー画像生成部
５１，５２，５３  切換えボタン
７１，７２  選択ボタン
７３  スキャンボタン
１２１，１２２，１２３，１２４  表示画面
２２１，３２１表示画面
４０６  音声出力部
Ａ，Ａ２，Ａ３，Ｂ，Ｂ２，Ｂ３，Ｃ，Ｃ２，Ｃ３  原稿
Ａ０１，Ａ０２，Ｂ０１，Ｂ０２，Ｃ０１，Ｃ０２  スキャン画像
Ａ１１，Ａ２１，Ａ３１，Ｂ１１，Ｂ２１，Ｂ３１，
Ｃ１１，Ｃ２１，Ｃ３１  第１プレビュー画像
Ａ１２，Ｂ１２，Ｃ１２  第２プレビュー画像
ＡＧ０１，ＡＧ０２，ＢＧ０１，ＢＧ０２，ＣＧ０１，ＣＧ０２  重心位置
【図１】
2019106646.tif 000003
【図２】
2019106646.tif 000004
【図３】
2019106646.tif 000005
【図４】
2019106646.tif 000006
【図５】
2019106646.tif 000007
【図６】
2019106646.tif 000008
【図７】
2019106646.tif 000009
【図８】
2019106646.tif 000010
【図９】
2019106646.tif 000011
【図１０】
2019106646.tif 000012
【図１１】
2019106646.tif 000013
【図１２】
2019106646.tif 000014
【図１３】
2019106646.tif 000015
【図１４】
2019106646.tif 000016
【図１５】
2019106646.tif 000017
【図１６】
2019106646.tif 000018
【図１７】
2019106646.tif 000019
【図１８】
2019106646.tif 000020